(57)【特許請求の範囲】
【請求項１】
（ａ）端子部材を備えるカードを収容するハウジングと、
（ｂ）該ハウジングに取付けられ、前記カードの端子部材と接触する接続端子と、
（ｃ）前記ハウジングからカードが排出されることを検出するカード排出動作検出スイッチと、
（ｄ）前記カードを挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動して終端点まで到達すると、前記付勢部材の付勢力によって、前記カードを終端点から挿入方向と反対の方向に移動させて排出するカード案内機構とを有するカード用コネクタであって、
（ｅ）前記カード案内機構は、前記ロック位置で保持されている前記カードに対して前記プッシュ動作が複数回行われると前記カードを排出し、
（ｆ）前記カード排出動作検出スイッチは、前記カードを挿入方向に押込む初回のプッシュ動作によってカードが挿入方向に移動して終端点まで到達するまでの間に、前記カードの排出が開始されたことを検出することを特徴とするカード用コネクタ。
【請求項２】
（ａ）前記カード案内機構は、表面にカム溝が形成された移動カム部材、及び、前記カム溝内に一端が係合する固定カム部材を備え、
（ｂ）前記カム溝は、前記ロック位置に対応する部位と前記終端点に対応する部位とが交互に配設された形状を備える請求項１に記載のカード用コネクタ。
【請求項３】
（ａ）前記プッシュ動作は２回であり、
（ｂ）前記カード案内機構は、前記カードを第１のロック位置で保持してカードの端子部材が接続端子と接触している状態を維持し、前記第１のロック位置で保持されているカードを挿入方向に押込むプッシュ動作によってカードが挿入方向に移動して第１の終端点まで到達すると、前記付勢部材の付勢力によって、前記カードを第１の終端点から挿入方向と反対の方向に移動させて第２のロック位置で保持し、該第２のロック位置で保持されているカードを挿入方向に押込むプッシュ動作によってカードが挿入方向に移動して第２の終端点まで到達すると、前記付勢部材の付勢力によって、前記カードを第２の終端点から挿入方向と反対の方向に移動させて排出する請求項１に記載のカード用コネクタ。
【請求項４】
前記第２のロック位置は、前記第１のロック位置よりも前記カードの排出方向に関して前寄りの位置である請求項３に記載のカード用コネクタ。
【請求項５】
前記カードの端子部材と接続端子とが接触していることを検出するカード検出スイッチを更に有する請求項１に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ミニＳＤ（Ｒ）カード、メモリスティック（Ｒ）、スマートメディア（Ｒ）等の各種メモリカードを利用するために、カード用コネクタを備えている。
【０００３】
この場合、前記電子機器に装填（てん）されたメモリカードを引抜く動作を早い段階で検出するためのディレイスイッチを使用することが考えられる。例えば、電子機器の演算手段がメモリカードにアクセスしながら処理を実行している最中にメモリカードを引抜かれると、演算手段とメモリカードとを接続するデータバスがデータの転送中に切断されてしまうので、データが破壊されたり、演算手段が動作を停止したまま復帰しなくなったりしてしまうことがある。前記ディレイスイッチは、メモリカードを引抜く動作を早い段階で検出することによって、カード用コネクタの端子とメモリカードのコンタクトパッドとの接触が切断されるまでに、演算手段とメモリカードとを接続するデータバスを安全に切断するための時間を稼ぐスイッチである。
【０００４】
しかし、比較的小型のメモリカードを利用するための、いわゆる、プッシュインプッシュアウトタイプ、又は、プッシュ／プッシュタイプと称されるカード用コネクタにおいては、小型であるためにメモリカードの移動距離が短くなり、メモリカードを排出するためにプッシュを行ってからカード用コネクタの端子とメモリカードのコンタクトパッドとの接触が切断されるまでの遅れ時間、すなわち、ディレイタイムを十分に長く取ることは困難である。
【０００５】
もっとも、プッシュ／プッシュタイプのカード用コネクタにおいて、メモリカードの移動時間を長くするための技術は既に提案されている（例えば、特許文献１参照。）。
【０００６】
図１６は従来のカード用コネクタのハートカム機構を示す図である。
【０００７】
図において、３１４はハートカム部材であり、コイルスプリング３１５によって一方向に付勢された状態で、図示されないカード用コネクタのハウジングにスライド可能に取付けられている。そして、ピン部材３１７の一端がハウジングの支持部３０４に枢着され、ピン部材３１７の自由端３０５がハートカム部材３１４の上面に形成されたカム溝３１８に係合している。また、該カム溝３１８は、ジグザク状に形成された第１ガイド部３０７及び第２ガイド部３０８を含んでいる。
【０００８】
そして、メモリカードがハウジングに挿入されると、ハートカム部材３１４は、ユーザの手指によってプッシュされるメモリカードによってハウジングの奥方に押込まれ、矢印で示される方向に移動する。このとき、ピン部材３１７の自由端３０５がジグザク状に形成された第１ガイド部３０７を通過するので、ユーザが誤って手指を放しても、第１ガイド部３０７によってピン部材３１７にブレーキが作用し、ハートカム部材３１４が急速に元に戻ることがない。
【０００９】
また、メモリカードをハウジングから取出す際に、ユーザの手指によってメモリカードがプッシュされると、ピン部材３１７の自由端３０５がカム溝３１８によって係止された状態が解除される。これにより、ハートカム部材３１４は開放され、メモリカードとともに、矢印で示される方向に移動する。このとき、ピン部材３１７の自由端３０５がジグザク状に形成された第２ガイド部３０８を通過するので、ピン部材３１７にブレーキが作用し、ハートカム部材３１４の速度が低下する。そのため、メモリカードがカード用コネクタのハウジングから飛出してしまうことがない。
【特許文献１】特開２００５−３０２４２３号公報
【発明の開示】
【発明が解決しようとする課題】
【００１０】
しかしながら、前記従来のカード用コネクタは、ディレイスイッチを使用することを考慮していないので、メモリカードをハウジングから取出す際の時間を十分に長く取ることができなかった。前記特許文献１に記載されているようなハートカム機構では、ピン部材３１７の自由端３０５がジグザク状に形成された第２ガイド部３０８を通過することによってハートカム部材３１４の速度が低下するようになっているが、ジグザクの折曲がり方が急であると、自由端３０５が第２ガイド部３０８を通過することができず、停止してしまう。そのため、実際には、ジグザクの折曲がり方を緩くして第２ガイド部３０８を滑らかにせざるを得ず、ハートカム部材３１４の速度を大きく低下させてメモリカードをハウジングから取出す際の時間を十分に長く取ることは不可能である。
【００１１】
本発明は、前記従来のカード用コネクタの問題点を解決して、カードを排出する際には、プッシュ動作を複数回行うとカードが排出されるとともに、初回のプッシュ動作における往きの行程においてカードの排出が開始されたことを検出するカード排出動作検出スイッチを有することによって、構造が簡素でコストを低くすることができ、小型化することができ、十分に長いディレイタイムを確保して、カードを排出する動作を適切に検出することができるカード用コネクタを提供することを目的とする。
【課題を解決するための手段】
【００１２】
そのために、本発明のカード用コネクタにおいては、端子部材を備えるカードを収容するハウジングと、該ハウジングに取付けられ、前記カードの端子部材と接触する接続端子と、前記ハウジングからカードが排出されることを検出するカード排出動作検出スイッチと、前記カードを挿入方向と反対の方向に付勢する付勢部材を備え、前記カードをロック位置で保持してカードの端子部材が接続端子と接触している状態を維持し、前記ロック位置で保持されているカードを挿入方向に押込むプッシュ動作によってカードが挿入方向に移動して終端点まで到達すると、前記付勢部材の付勢力によって、前記カードを終端点から挿入方向と反対の方向に移動させて排出するカード案内機構とを有するカード用コネクタであって、前記カード案内機構は、前記ロック位置で保持されている前記カードに対して前記プッシュ動作が複数回行われると前記カードを排出し、前記カード排出動作検出スイッチは、前記カードを挿入方向に押込む初回のプッシュ動作によってカードが挿入方向に移動して終端点まで到達するまでの間に、前記カードの排出が開始されたことを検出する。
【００１３】
本発明の他のカード用コネクタにおいては、さらに、前記カード案内機構は、表面にカム溝が形成された移動カム部材、及び、前記カム溝内に一端が係合する固定カム部材を備え、前記カム溝は、前記ロック位置に対応する部位と前記終端点に対応する部位とが交互に配設された形状を備える。
【００１４】
本発明の更に他のカード用コネクタにおいては、さらに、前記プッシュ動作は２回であり、前記カード案内機構は、前記カードを第１のロック位置で保持してカードの端子部材が接続端子と接触している状態を維持し、前記第１のロック位置で保持されているカードを挿入方向に押込むプッシュ動作によってカードが挿入方向に移動して第１の終端点まで到達すると、前記付勢部材の付勢力によって、前記カードを第１の終端点から挿入方向と反対の方向に移動させて第２のロック位置で保持し、該第２のロック位置で保持されているカードを挿入方向に押込むプッシュ動作によってカードが挿入方向に移動して第２の終端点まで到達すると、前記付勢部材の付勢力によって、前記カードを第２の終端点から挿入方向と反対の方向に移動させて排出する。
【００１５】
本発明の更に他のカード用コネクタにおいては、さらに、前記第２のロック位置は、前記第１のロック位置よりも前記カードの排出方向に関して前寄りの位置である。
【００１６】
本発明の更に他のカード用コネクタにおいては、さらに、前記カードの端子部材と接続端子とが接触していることを検出するカード検出スイッチを更に有する。
【発明の効果】
【００１７】
本発明によれば、カード用コネクタは、カードを排出する際には、プッシュ動作を複数回行うとカードが排出されるとともに、初回のプッシュ動作における往きの行程においてカードの排出が開始されたことを検出するカード排出動作検出スイッチを有する。これにより、構造が簡素でコストを低くすることができ、小型化することができ、十分に長いディレイタイムを確保して、カードを排出する動作を適切に検出することができる。
【発明を実施するための最良の形態】
【００１８】
以下、本発明の実施の形態について図面を参照しながら詳細に説明する。
【００１９】
図１は本発明の実施の形態におけるカード用コネクタのシェルを取除いた状態を示す斜視図、図２は本発明の実施の形態におけるカード用コネクタを示す斜視図、図３は本発明の実施の形態におけるカードの下面を示す図、図４は本発明の実施の形態における第１接点部材を示す斜視図、図５は本発明の実施の形態における共通接点部材を示す斜視図、図６は本発明の実施の形態における第２接点部材を示す斜視図である。
【００２０】
図において、１０は本実施の形態におけるカード用コネクタであり、図示されない電子機器に取付けられる。そして、前記カード用コネクタ１０の内部にはカード３１が挿入され、前記カード用コネクタ１０を介して、前記電子機器にカード３１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２１】
また、カード３１は、例えば、ＳＩＭカード、ＭＭＣ（Ｒ）、ＳＤ（Ｒ）カード、ミニＳＤ（Ｒ）カード、メモリスティック（Ｒ）、スマートメディア（Ｒ）、Ｔ−Ｆｌａｓｈ（Ｔｒａｎｓ−Ｆｌａｓｈ）メモリカード、マイクロＳＤ（Ｒ）カード等のＩＣカードであり、いかなる種類のカードであってもよいが、本実施の形態においては、図３に示されるような形状を有するマイクロＳＤ（Ｒ）カードであるものとして説明する。また、本実施の形態において、カード用コネクタ１０の各部の構成及び動作を説明するために使用される上、下、左、右、前、後等の方向を示す表現は、絶対的なものでなく相対的なものであり、カード用コネクタ１０又はその部品が図に示される姿勢である場合に適切であるが、カード用コネクタ１０又はその部品の姿勢が変化した場合には、姿勢の変化に応じて変更して解釈されるべきものである。
【００２２】
ここで、前記カード用コネクタ１０は、図２に示されるように、合成樹脂等の絶縁性材料によって一体的に成形されたカード３１を収容するハウジング１１と、金属等の導電性材料から成る板材に打抜き、折曲げ等の加工を施すことによって成形され、ハウジング１１の上側に取付けられたシェル１２とを有する。前記カード用コネクタ１０は、概略、扁（へん）平な直方体形状を備え、前記電子機器に取付けられ、前方（図２における左下方）からカード３１が挿入される。
【００２３】
また、図１は、説明のためにシェル１２を除去した状態のカード用コネクタ１０を示す図である。図１に示されるように、ハウジング１１は、カード３１の挿入方向に関して手前側となる前縁側（図１における左下側）が略Ｕ字状又は略コ字状に切取られた形状を備える底壁部１１ａ、及び、該底壁部１１ａの奥部において奥側の縁に沿って延在し、底壁部１１ａから立設する奥壁部１１ｂを有する。ここで、底壁部１１ａの上面には、前後方向に延在するように形成された端子装填溝１１ｅが複数形成され、各端子装填溝１１ｅに接続端子としての端子１３が挿入されて取付けられている。そして、該端子１３は、その根本部が前記端子装填溝１１ｅ内における底壁部１１ａの手前側の縁に近い部分に取付けられ、その先端部が奥壁部１１ｂに向けて斜め上方に延在して底壁部１１ａの上面より上方に突出している。前記端子１３の先端部１３ｂは、接触部として機能し、カード３１の下面に配設された端子部材としてのコンタクトパッド３４に接触して電気的に接続される。また、前記端子１３の根本部から延在するソルダーテール部１３ａは、底壁部１１ａの手前側の縁から前方に向けて突出し、前記電子機器における配線基板等に形成された信号線、コンタクトパッド、端子等、すなわち、相手側端子部材に、はんだ付等によって電気的に接続される。
【００２４】
そして、ハウジング１１は、底壁部１１ａの一方の側縁に沿って前後方向に延在する断面Ｌ字状の側壁部としての第１側壁部１１ｃ、及び、底壁部１１ａの他方の側縁に沿って前後方向に延在する側壁部としての第２側壁部１１ｄを有する。該第２側壁部１１ｄには、カード用コネクタ１０内に挿入されたカード３１を案内するためのカード案内機構のスライド部材１４が前後方向にスライド可能に取付けられている。
【００２５】
ここで、スライド部材１４は、カード３１を保持するためのカード保持部１４ａと、移動カム部材としてのスライドカム部１４ｂとから成る。なお、前記カード保持部１４ａとスライドカム部１４ｂとは一体的に形成されている。そして、前記カード保持部１４ａは、その内側の側面から突出するように形成された第１係合部１４ｃ及び第２係合部１４ｄを備える。第１係合部１４ｃ及び第２係合部１４ｄは、カード３１の側面に形成された係合部としての係合凸部３２及び係合凹部３３と係合する。そして、スライド部材１４は、カード保持部１４ａの第１係合部１４ｃ及び第２係合部１４ｄによってカード３１を保持し、該カード３１とともに前後方向に移動する。
【００２６】
また、カード保持部１４ａの外側の側面には、コイルスプリングから成る付勢部材１５の付勢力を受ける付勢力受部１４ｅが突出するように形成されている。該付勢力受部１４ｅには、付勢部材１５を係止する係止突起１４ｆが形成され、付勢部材１５の一端が取付けられている。また、該付勢部材１５の他端は、奥壁部１１ｂの係止部１１ｆに取付けられている。なお、該係止部１１ｆも付勢部材１５を係止する係止突起を備える。これにより、前記スライド部材１４は、付勢部材１５によって、カード３１の挿入方向と反対の方向、すなわち、カード３１の排出方向に付勢される。なお、図１においては、付勢部材１５の一部の図示が省略されている。
【００２７】
そして、前記カード用コネクタ１０は、カード用コネクタ１０内にカード３１を挿入する際にも、カード用コネクタ１０内からカード３１を取出す際にも、カード３１を押込む動作を必要とする、いわゆる、プッシュインプッシュアウトタイプ、又は、プッシュ／プッシュタイプと通称されるものである。このような動作は、押しボタンスイッチの分野におけるオルタネイト動作（位置保持型、プッシュオン・プッシュオフ型）と同様のものである。そして、前記スライドカム部１４ｂは、プッシュ／プッシュタイプの動作を行うためのカム機構におけるスライドカムとして機能する。なお、本実施の形態におけるカム機構は、後述されるように、カード３１を押出して排出させるためのプッシュ動作として、複数回のプッシュ動作が行われる点で、従来のカード用コネクタ等において、オルタネイト動作の動作機構として使用されるハート状カム方式の機構と相違する。
【００２８】
そのため、スライドカム部１４ｂの上面には、カム溝１８が形成され、該カム溝１８には固定カム部材としての細長いピン部材１７の自由端が係合している。また、該ピン部材１７の他端は、固定端として、ハウジング１１の第２側壁部１１ｄの前端に形成されたストッパ部１１ｇの上面に係合し、ピボット結合されている。そして、前記ピン部材１７とカム溝１８とが協働することによって、カード３１とともに移動するスライド部材１４にプッシュ／プッシュの動作を行わせるようになっている。これにより、前記カード案内機構は、カード３１を挿入方向に押込むプッシュ動作によってカード３１が挿入方向に移動して終端点まで到達すると、前記付勢部材１５の付勢力によって、前記カード３１を終端点から挿入方向と反対の方向に移動させて排出することができる。なお、図１においては、ピン部材１７の一部の図示が省略されている。
【００２９】
前記ピン部材１７は、図２に示されるようなシェル１２の板ばね１２ａによって上から下方向に付勢されることによって保持されている。前記板ばね１２ａは、シェル１２の一部をハウジング１１の底壁部１１ａの方向に押圧可能に折曲げ加工することによって形成されており、ピン部材１７は、前記板ばね１２ａとスライド部材１４又はハウジング１１との間に位置し、スライド部材１４又はハウジング１１から離脱しないように保持されている。
【００３０】
また、前記ハウジング１１の奥部、具体的には奥壁部１１ｂに、ハウジング１１からカード３１が排出されることを検出するカード排出動作検出スイッチとしてのディレイスイッチを形成する第１接点部材２１及び共通接点部材２２が取付けられている。前記ディレイスイッチは、カード３１が移動することによって作動し、第１接点部材２１と共通接点部材２２とが相互に接離することによって、導通、すなわち、ＯＮ及び非導通、すなわち、ＯＦＦの状態となる。ここで、前記ディレイスイッチは、カード案内機構にカード用コネクタ１０内に挿入されたカード３１を押出して排出させる動作を行わせるためのプッシュ動作を検出するスイッチである。
【００３１】
本実施の形態においては、カード３１を押出して排出させるためにプッシュ動作を複数回行うとカード３１が排出されるようになっている。前記プッシュ動作は、複数回であれば、３回以上であってもよく、何回であってもよいが、ここでは、２回である場合、すなわち、カード３１を押出して排出させるためのプッシュ動作として、第１のプッシュ動作及び第２のプッシュ動作が行われる場合について説明する。
【００３２】
そして、第１のプッシュ動作において、カード案内機構のスライド部材１４は、利用者の手指等によってカード３１に付与される力を受けることにより、カード３１とともに移動し、カード用コネクタ１０内でカード３１をロックした状態で保持する第１のロック位置から奥壁部１１ｂに向けて移動させられ、最も前進した位置である第１の終端点に到達してフルストローク状態となる。続いて、利用者によってカード３１に付与される力が解除されると、スライド部材１４及びカード３１は、付勢部材１５の反発力を受けて奥壁部１１ｂから離脱する向きに移動させられ、第２のロック位置で停止する。すなわち、第１のロック位置から第１の終端点までの往きの行程に続いて、第１の終端点からの第２のロック位置までの復りの工程が行われる。
【００３３】
次に、第２のプッシュ動作において、カード案内機構のスライド部材１４は、再び、利用者の手指等によってカード３１に付与される力を受けることにより、カード３１とともに移動し、第２のロック位置から奥壁部１１ｂに向けて移動させられ、第２の終端点に到達してフルストローク状態となる。続いて、利用者によってカード３１に付与される力が解除されると、スライド部材１４及びカード３１は、付勢部材１５の反発力を受けて奥壁部１１ｂから離脱する向きに移動させられ、第２のロック位置を通過し、カード３１の挿入方向と反対の方向に向けて更に移動する。すなわち、第２のロック位置から第２の終端点までの往きの行程に続いて、第２の終端点からカード３１が排出される方向への復りの工程が行われる。
【００３４】
この場合、前記ディレイスイッチは、第１のプッシュ動作においてスライド部材１４及びカード３１が第１のロック位置から第１の終端点まで移動する往きの行程の途中で非導通状態から導通状態に変化し、これにより、カード３１を押出して排出させるためのプッシュ動作が開始されたことを検出する。一方、カード３１のコンタクトパッド３４が端子１３の先端部と実際に非接触となるのは、第２の終端点からの復りの行程においてスライド部材１４が第２のロック位置を通過した以後である。すなわち、第１のプッシュ動作における往きの行程の途中でスライド部材１４及びカード３１がディレイスイッチが導通状態に変化する地点から、第２のプッシュ動作における復りの行程の途中でスライド部材１４及びカード３１が第２の終端点から第２のロック位置に到達するまでの時間を、ディレイタイムに含めることができる。これにより、遅れ時間、すなわち、ディレイタイムを十分に長くすることができる。なお、ディレイタイムとは、ディレイスイッチがカード３１を押出して排出させるためのプッシュ動作が開始されたことを検出してから、カード３１のコンタクトパッド３４が端子１３の先端部と非接触となるまでの時間を言う。
【００３５】
そして、前記第１接点部材２１は、奥壁部１１ｂに取付けられた取付部２１ａ、及び、該取付部２１ａから横方（図１における右方）に向けて延在する細長い板状のカンチレバーのような形状である本体部２１ｂを有する。なお、前記第１接点部材２１は、金属等のばね性を備えた導電性材料から成る板材に打抜き、折曲げ等の加工を施すことによって成形された部材であり、前記取付部２１ａは本体部２１ｂに対して所定の角度を形成するように曲げられている。本実施の形態においては、取付部２１ａと本体部２１ｂとの間の角度が鋭角となり、第１接点部材２１は概略Ｖ字状の形状を有する。そして、第１接点部材２１の取付部２１ａは奥壁部１１ｂの側面とほぼ平行となり、本体部２１ｂは、カード３１がカード用コネクタ１０に挿入されていない状態においては、奥壁部１１ｂの側面に対して傾斜し、カード３１の挿入方向に関して手前側に向けて突出するように配設されている。
【００３６】
さらに、前記取付部２１ａは、その下端にソルダーテール部２１ｄを備える。該ソルダーテール部２１ｄは、前記電子機器における配線基板等に形成された信号線、コンタクトパッド、端子等、すなわち、相手側端子部材にはんだ付されて電気的に接続される。一方、本体部２１ｂの先端には、第１当接部２１ｃが接続されている。該第１当接部２１ｃは、本体部２１ｂに対して曲げられ、本体部２１ｂの先端の下端縁から前方に向けて突出する。そして、第１当接部２１ｃの下方に向けて膨出する部分の下側の面が、共通接点部材２２に当接する当接面として機能する。なお、第１当接部２１ｃは、図１に示されるように、底壁部１１ａの上面より下方に位置し、カード３１の下面に接触しないようになっている。
【００３７】
また、前記共通接点部材２２は、奥壁部１１ｂに取付けられた取付部２２ａ、及び、該取付部２２ａに対してほぼ直角になるように曲げられた本体部２２ｂを有する。なお、前記共通接点部材２２は、金属等のばね性を備えた導電性材料から成る板材に打抜き、折曲げ等の加工を施すことによって成形された部材である。そして、前記本体部２２ｂは、底壁部１１ａの上面とほぼ平行であり、横方に向けて延在する細長い板状のカンチレバーのような形状である第１枝部２２ｃ及び第２枝部２２ｄを備える。
【００３８】
さらに、前記取付部２２ａは、その下端にソルダーテール部２２ｇを備える。該ソルダーテール部２２ｇは、前記電子機器における配線基板等に形成された信号線、コンタクトパッド、端子等、すなわち、相手側端子部材にはんだ付されて電気的に接続される。また、前記第１枝部２２ｃ及び第２枝部２２ｄは、底壁部１１ａの上面より下方に位置しているので、第１接点部材２１の本体部２１ｂより下方に位置する。
【００３９】
そして、第１枝部２２ｃの先端には、共通接点第１当接部２２ｅが接続されている。該共通接点第１当接部２２ｅは、第１枝部２２ｃの先端から前方に向けて突出し、その上側の面が、第１接点部材２１の第１当接部２１ｃの下方に向けて膨出する部分の下側の面に当接する当接面として機能する。
【００４０】
一方、第２枝部２２ｄの先端には、共通接点第２当接部２２ｆが接続されている。該共通接点第２当接部２２ｆは、第２枝部２２ｄの先端から前方に向けて突出し、その上側の面が、第２接点部材２３に当接する当接面として機能する。
【００４１】
ここで、前記共通接点部材２２は、第２接点部材２３とともに、カード３１の端子部材としてのコンタクトパッド３４と端子１３とが接触していることを検出して、カード３１がカード用コネクタ１０に装填されていることを検出するカード検出スイッチを形成する。該カード検出スイッチは、カード３１が移動することによって作動し、第２接点部材２３と共通接点部材２２とが相互に接離することによって、導通、すなわち、ＯＮ及び非導通、すなわち、ＯＦＦの状態となる。なお、本実施の形態において、カード検出スイッチは、カード３１がカード用コネクタ１０内に挿入されていない状態ではＯＦＦであり、カード３１がカード用コネクタ１０内に装填されるとＯＮになる初期ＯＦＦタイプのものであるとして説明する。
【００４２】
そして、前記第２接点部材２３は、第１側壁部１１ｃに取付けられた取付部２３ａ、及び、該取付部２３ａから奥方に向けて延在する細長い板状のカンチレバーのような形状である本体部２３ｂを有する。なお、前記第２接点部材２３は、金属等のばね性を備えた導電性材料から成る板材に打抜き、折曲げ等の加工を施すことによって成形された部材であり、前記取付部２３ａは本体部２３ｂに対して所定の角度を形成するように曲げられている。本実施の形態においては、取付部２３ａと本体部２３ｂとの間の角度が鋭角となり、第２接点部材２３は概略Ｖ字状の形状を有する。そして、第２接点部材２３の取付部２３ａは第１側壁部１１ｃの側面とほぼ平行となり、本体部２３ｂは、カード３１がカード用コネクタ１０に挿入されていない状態においては、第１側壁部１１ｃの側面に対して傾斜し、内側に向けて突出するように配設されている。また、前記本体部２３ｂは、底壁部１１ａの上面より下方に位置している。
【００４３】
さらに、前記取付部２３ａは、その下端にソルダーテール部２３ｆを備える。該ソルダーテール部２３ｆは、前記電子機器における配線基板等に形成された信号線、コンタクトパッド、端子等、すなわち、相手側端子部材にはんだ付されて電気的に接続される。
【００４４】
そして、本体部２３ｂの先端には、上方突出部２３ｅを介して第２当接部２３ｄが接続されている。該第２当接部２３ｄは、本体部２３ｂに対してほぼ直角になるように曲げられ、上方突出部２３ｅの下端縁から内方に向けて突出する。そして、第２当接部２３ｄの下方に向けて膨出する部分の下側の面が、共通接点部材２２の共通接点第２当接部２２ｆに当接する当接面として機能する。なお、第２当接部２３ｄは、底壁部１１ａの上面より下方に位置し、カード３１の下面に接触しないようになっている。
【００４５】
また、上方突出部２３ｅの手前側縁には、外方に向けて斜めに突出するカード当接部２３ｃが接続されている。該カード当接部２３ｃは、カード３１の挿入方向に関して傾斜しており、挿入されたカード３１の前端から所定範囲の側面が当接することによって、外方に移動させられる。これにより、第２当接部２３ｄも外方に移動させられ、共通接点第２当接部２２ｆに当接する。
【００４６】
次に、前記構成のカード用コネクタ１０の動作について説明する。まず、プッシュ／プッシュタイプの動作を行うためのカム機構の動作について説明する。
【００４７】
図７は本発明の実施の形態におけるカム機構の動作を示す図である。なお、図７（ａ）はカード挿入の初期の状態、図７（ｂ）は第１の終端点に到達した状態、図７（ｃ）は第１のロック位置に到達した状態、図７（ｄ）は第１の終端点に再び到達した状態、図７（ｅ）は第２のロック位置に到達した状態、図７（ｆ）は第２の終端点に到達した状態、図７（ｇ）はカード挿入の初期の状態に復帰した状態を示している。
【００４８】
本実施の形態におけるカム機構は、プッシュ／プッシュタイプの動作を行うためのものであるが、前述のように、カード３１を押出して排出させるためのプッシュ動作として、第１のプッシュ動作及び第２のプッシュ動作が行われる点において、通常のハート状カム方式の機構と、相違するものである。すなわち、通常のハート状カム方式の機構において、上面から観たカム溝の形状は、ハートの周囲を巡るような形状であって、スライド部材が押込まれてロックされるロック位置とその周辺に対応する部分が略Ｖ字状である。これに対し、本実施の形態におけるカム機構において、上面から観たカム溝１８の形状は、図７に示されるように、カード３１を押出して排出させるためのプッシュ動作が２回行われるために、スライド部材１４が押込まれる終端点に対応する部位と、ロックされるロック位置に対応する部位とを接続する溝が、２つのＶ字を横に接続したような形状、すなわち、Ｗ字のような形状となっている。図７に示される例において、カム溝１８のカード保持部１４ａ側、すなわち、上端側の部分が、Ｗ字のような形状となっていることが分かる。そして、第１のロック位置に対応する第１ロック凹部１８ａ及び第２のロック位置に対応する第２ロック凹部１８ｂが形成され、さらに、第１の終端点に対応する第１終端凹部１８ｃ及び第２終端凹部１８ｄ並びに第２の終端点に対応する第３終端凹部１８ｅが形成されている。
【００４９】
なお、カード３１を押出して排出させるためのプッシュ動作が３回行われるようにするためには、Ｗ字の横に更にＶ字を接続すればよいことが分かる。すなわち、カード３１を押出して排出させるためのプッシュ動作が複数回である場合には、その回数に応じた数のＶ字を横に接続すればよいことが分かる。ただし、カム溝１８の底面は、通常のハート状カム方式の機構と同様に、ピン部材１７の自由端が一方向のみにカム溝１８内を移動するような段差を有する。
【００５０】
まず、利用者が手指等によってカード３１をカード用コネクタ１０の前方から挿入すると、挿入の初期の状態においては、カード３１の一方の側辺に形成された係合凸部３２及び係合凹部３３は、カード案内機構のスライド部材１４の第１係合部１４ｃ及び第２係合部１４ｄと係合していない。そのため、スライド部材１４はカード３１挿入の初期の状態にあり、カム溝１８内におけるピン部材１７の自由端も、図７（ａ）に示されるように、カード３１挿入の初期の状態にある。なお、図７において、黒丸はピン部材１７の自由端の現在位置を示し、線Ａはピン部材１７の自由端の軌跡を示し、線Ａに付された矢印はピン部材１７の移動方向を示し、白丸はピン部材１７の自由端の軌跡上の主要な位置を示している。
【００５１】
続いて、利用者がカード３１をプッシュして更に押込むと、カード３１の係合凸部３２及び係合凹部３３がスライド部材１４の第１係合部１４ｃ及び第２係合部１４ｄと係合し、カード３１は、スライド部材１４とともに、奥壁部１１ｂに向けて移動する。この際、スライド部材１４がコイルスプリングから成る付勢部材１５を圧縮するので、スライド部材１４及びカード３１は、付勢部材１５の反発力に抗して移動する。そして、スライド部材１４及びカード３１が最も前進した位置である第１の終端点に到達してフルストローク状態になると、図７（ｂ）に示されるように、ピン部材１７の自由端は、カム溝１８の上端の最奥部である第１終端凹部１８ｃに到達する。
【００５２】
続いて、利用者がカード３１をプッシュする動作を止め、カード３１に対する押込力を解除すると、付勢部材１５の反発力によって、スライド部材１４及びカード３１は奥壁部１１ｂから離脱する向きに移動させられる。そして、スライド部材１４及びカード３１は、カード用コネクタ１０内でカード３１をロックした状態で保持する第１のロック位置で停止する。この場合、図７（ｃ）に示されるように、ピン部材１７の自由端は、カム溝１８の第１ロック凹部１８ａ内において係止される。これにより、ピン部材１７とスライドカム部１４ｂとの相対的な移動が規制され、スライド部材１４及びカード３１は、第１のロック位置で停止させられる。そして、カード３１は、第１のロック位置に保持されることによって、カード用コネクタ１０が取付けられた電子機器の演算手段等との間でデータの送受信を行うことができる状態となる。
【００５３】
次に、カード３１をカード用コネクタ１０から排出させて取出す場合、利用者が手指等によってカード３１をプッシュして押込むと、スライド部材１４及びカード３１は、第１のロック位置から奥壁部１１ｂに向けて移動させられる。そして、スライド部材１４及びカード３１が第１の終端点に到達してフルストローク状態になると、図７（ｄ）に示されるように、ピン部材１７の自由端はカム溝１８の第２終端凹部１８ｄに到達する。
【００５４】
続いて、利用者がカード３１をプッシュする動作を一旦（たん）止めて、カード３１に対する押込力を解除すると、付勢部材１５の反発力によって、スライド部材１４及びカード３１は奥壁部１１ｂから離脱する向きに移動させられ、第２のロック位置で停止する。この場合、図７（ｅ）に示されるように、ピン部材１７の自由端は、カム溝１８の第２ロック凹部１８ｂ内において係止される。なお、図示される例においては、第１ロック凹部１８ａよりも第２ロック凹部１８ｂのほうが深く形成されている。そのため、スライド部材１４及びカード３１は、第２のロック位置で停止したときのほうが、第１のロック位置で停止したときよりも、奥壁部１１ｂから離れてカード用コネクタ１０の前方に近付いている。すなわち、第２のロック位置は、第１のロック位置よりもカード３１の排出方向に関して前寄りの位置となっている。これにより、カード３１の後端のカード用コネクタ１０からの突出量が、第２のロック位置で停止したときのほうが、第１のロック位置で停止したときよりも大きくなるので、利用者は、目視によっても、手指等の感触によっても、第２のロック位置で停止している状態と第１のロック位置で停止している状態とを識別することができる。
【００５５】
続いて、利用者が再びカード３１をプッシュして押込むと、スライド部材１４及びカード３１は、第２のロック位置から奥壁部１１ｂに向けて再び移動させられる。そして、スライド部材１４及びカード３１が第２の終端点に到達すると、図７（ｆ）に示されるように、ピン部材１７の自由端はカム溝１８の第３終端凹部１８ｅに到達する。
【００５６】
続いて、利用者がカード３１をプッシュする動作を止め、カード３１に対する押込力を解除すると、付勢部材１５の反発力によって、スライド部材１４及びカード３１は奥壁部１１ｂから離脱する向きに移動させられ、第１のロック位置及び第２のロック位置を通過して、カード３１の挿入方向と反対の方向に更に移動する。そして、カード３１の係合凸部３２及び係合凹部３３とスライド部材１４の第１係合部１４ｃ及び第２係合部１４ｄとの係合が解除され、スライド部材１４及びカード３１は、挿入の初期の状態に復帰する。この場合、図７（ｇ）に示されるように、ピン部材１７の自由端はカード３１挿入の初期の状態における位置に復帰する。
【００５７】
図７（ｇ）に示される線Ａによって、カム溝１８における第１のロック位置に対応する第１ロック凹部１８ａ及び第２のロック位置に対応する第２ロック凹部１８ｂと、第１の終端点に対応する第１終端凹部１８ｃ及び第２終端凹部１８ｄ並びに第２の終端点に対応する第３終端凹部１８ｅとを接続する部分の形状が、２つのＶ字を横に接続したＷ字のような形状となっていることを明瞭に把握することができる。なお、図７に示されるカム溝１８の形状は、一例に過ぎず、適宜変更することができる。すなわち、カード３１を押出して排出させるためのプッシュ動作が複数回行われるような形状であれば、いかなる形状であってもよい。
【００５８】
次に、カード用コネクタ１０全体の動作について説明する。まず、カード３１をカード用コネクタ１０に挿入して、該カード用コネクタ１０が取付けられた電子機器にカード３１を装着する動作について説明する。
【００５９】
図８は本発明の実施の形態におけるカード用コネクタのカード挿入の初期の状態を示す図、図９は本発明の実施の形態におけるカード用コネクタの第１のカードフルストローク状態を示す図、図１０は本発明の実施の形態におけるカード用コネクタの第１のカードロック状態を示す図である。
【００６０】
まず、利用者が手指等によってカード３１をカード用コネクタ１０の前方から挿入する。図８に示されるように、挿入の初期の状態において、カード３１の下面に配設されたコンタクトパッド３４は、端子１３の位置にまで到達していない。なお、図８〜１０は、図１と同様に、説明のためにシェル１２を除去した状態を示している。また、カード３１の一方の側辺に形成された係合部としての係合凸部３２及び係合凹部３３は、カード案内機構のスライド部材１４の第１係合部１４ｃ及び第２係合部１４ｄと係合していない。さらに、カム溝１８内におけるピン部材１７の自由端は、図７（ａ）に示されるように、カード３１挿入の初期の状態における位置にある。そして、第１接点部材２１と共通接点部材２２とが当接しておらず、ディレイスイッチはＯＦＦの状態になっている。また、第２接点部材２３と共通接点部材２２とが当接しておらず、カード検出スイッチはＯＦＦの状態になっている。
【００６１】
続いて、利用者がカード３１をプッシュして更に押込むと、カード３１の係合凸部３２及び係合凹部３３がスライド部材１４の第１係合部１４ｃ及び第２係合部１４ｄと係合し、カード３１は、スライド部材１４とともに、奥壁部１１ｂに向けて移動する。この際、スライド部材１４がコイルスプリングから成る付勢部材１５を圧縮するので、スライド部材１４及びカード３１は、付勢部材１５の反発力を受けるが、該反発力が利用者の手指等が発揮する押込力よりも小さいので、前記反発力に抗して移動する。
【００６２】
そして、図９に示されるように、スライド部材１４及びカード３１は、最も前進した位置である第１の終端点に到達してフルストローク状態となる。なお、カード３１は、第１の終端点に到達するまでの行程の途中において、その前端の一側端（図９における右側端）及び側端から所定範囲の側面（図９における右側面）が第２接点部材２３のカード当接部２３ｃ及び上方突出部２３ｅに当接し、本体部２３ｂの先端を外方に変位させる。これにより、第２接点部材２３の第２当接部２３ｄが共通接点部材２２の共通接点第２当接部２２ｆに当接するので、カード検出スイッチがＯＮの状態になる。また、カード３１の挿入方向の前面が第１接点部材２１の本体部２１ｂに当接し、該本体部２１ｂを奥壁部１１ｂの方向に変位させる。そして、カード３１が奥壁部１１ｂに向けて移動するにつれて、本体部２１ｂが大きく変位し、第１接点部材２１の第１当接部２１ｃが共通接点部材２２の共通接点第１当接部２２ｅに当接する。最終的に、フルストローク状態となると、第１接点部材２１の本体部２１ｂは、カード３１によって奥壁部１１ｂの側面に押付けられた状態となる。さらに、カム溝１８内におけるピン部材１７の自由端は、図７（ｂ）に示されるように、カム溝１８の上端の最奥部に到達する。
【００６３】
続いて、利用者がカード３１をプッシュする動作を止め、カード３１に対する押込力を解除すると、付勢部材１５の反発力によって、スライド部材１４及びカード３１は奥壁部１１ｂから離脱する向きに移動させられる。そして、スライド部材１４及びカード３１は、図１０に示されるように、カード用コネクタ１０内でカード３１をロックした状態で保持する第１のロック位置で停止する。これは、図７（ｃ）に示されるように、ピン部材１７の自由端は、カム溝１８の第１ロック凹部１８ａ内において係止されるからである。
【００６４】
そして、カード３１は、第１のロック位置に保持されることによって、カード用コネクタ１０が取付けられた電子機器の演算手段等との間でデータの送受信を行うことができる状態となる。なお、カード３１が第１のロック位置に保持されている場合、カード３１の下面のコンタクトパッド３４は、端子１３の先端部と接触して導通している。そして、第２接点部材２３は、本体部２３ｂの先端を外方に変位させられ、第２当接部２３ｄが共通接点部材２２の共通接点第２当接部２２ｆに当接した状態を維持している。そのため、カード検出スイッチはＯＮの状態になっている。また、第１接点部材２１の第１当接部２１ｃが共通接点部材２２の共通接点第１当接部２２ｅに当接していないので、ディレイスイッチはＯＦＦの状態になっている。
【００６５】
次に、カード３１をカード用コネクタ１０から排出させて取出す動作について説明する。
【００６６】
図１１は本発明の実施の形態におけるカード用コネクタの第２のカードフルストローク状態を示す図、図１２は本発明の実施の形態におけるカード用コネクタの第２のカードロック状態を示す図、図１３は本発明の実施の形態におけるカード用コネクタの第３のカードフルストローク状態を示す図、図１４は本発明の実施の形態におけるカード用コネクタのカードの挿入の初期の状態に復帰した状態を示す図である。
【００６７】
この場合、利用者が手指等によってカード３１をプッシュして押込むと、スライド部材１４及びカード３１は、第１のロック位置から奥壁部１１ｂに向けて移動させられる。すると、カード３１の挿入方向の前面が第１接点部材２１の本体部２１ｂに当接し、該本体部２１ｂを奥壁部１１ｂの方向に変位させ、第１当接部２１ｃを共通接点部材２２の共通接点第１当接部２２ｅに当接させる。これにより、ディレイスイッチは、非導通状態から導通状態に、すなわち、ＯＦＦからＯＮに変化し、カード３１を排出させるプッシュ動作が開始されたことを検出する。この間、第２接点部材２３と共通接点部材２２とが当接した状態を維持するので、カード検出スイッチはＯＮの状態を維持している。
【００６８】
続いて、利用者がカード３１をプッシュして更に押込むと、スライド部材１４及びカード３１は、図１１に示されるように、最も前進した位置である第１の終端点に到達してフルストローク状態となる。また、カム溝１８内におけるピン部材１７の自由端は、図７（ｄ）に示されるように、カム溝１８の上端の最奥部に到達する。この間、第１接点部材２１と共通接点部材２２とが当接した状態を維持するので、ディレイスイッチはＯＮの状態を維持している。また、第２接点部材２３と共通接点部材２２とも当接した状態を維持するので、カード検出スイッチもＯＮの状態を維持している。
【００６９】
続いて、利用者がカード３１をプッシュする動作を一旦止めて、カード３１に対する押込力を解除すると、付勢部材１５の反発力によって、スライド部材１４及びカード３１は奥壁部１１ｂから離脱する向きに移動させられ、図１２に示されるように、第２のロック位置で停止する。また、カム溝１８内におけるピン部材１７の自由端は、図７（ｅ）に示されるように、カム溝１８の第２ロック凹部１８ｂ内において係止される。前述のように、第１ロック凹部１８ａよりも第２ロック凹部１８ｂのほうが深く形成されているので、図９と図１２とを比較すると明らかなように、スライド部材１４及びカード３１は、第２のロック位置で停止したときのほうが、第１のロック位置で停止したときよりも、奥壁部１１ｂから離れてカード用コネクタ１０のカード３１の排出方向側に近付いている。また、カード３１の後端のカード用コネクタ１０からの突出量が、第２のロック位置で停止したときのほうが、第１のロック位置で停止したときよりも、大きくなるので、利用者は、目視によっても、手指等の感触によっても、第２のロック位置で停止している状態と第１のロック位置で停止している状態とを識別することができる。
【００７０】
そして、第２接点部材２３は、本体部２３ｂの先端を外方に変位させられ、第２当接部２３ｄが共通接点部材２２の共通接点第２当接部２２ｆに当接した状態を維持している。そのため、カード検出スイッチはＯＮの状態になっている。また、第１接点部材２１の第１当接部２１ｃが共通接点部材２２の共通接点第１当接部２２ｅに当接していないので、ディレイスイッチはＯＦＦの状態になる。前述のように、スライド部材１４及びカード３１が第１のロック位置から奥壁部１１ｂに向けて移動させられる際に、ディレイスイッチがＯＦＦからＯＮに変化したことによって、カード３１を排出させるプッシュ動作が開始されたことが既に検出されているので、その後は、ディレイスイッチがＯＦＦであってもＯＮであっても構わない。
【００７１】
続いて、利用者が再びカード３１をプッシュして押込むと、スライド部材１４及びカード３１は、第２のロック位置から奥壁部１１ｂに向けて再び移動させられる。そして、図１３に示されるように、スライド部材１４及びカード３１が第２の終端点に到達する。また、ピン部材１７の自由端は、図７（ｆ）に示されるように、カム溝１８の上端の最奥部に到達する。この間、第２接点部材２３と共通接点部材２２とは、当接した状態を維持するので、カード検出スイッチはＯＮの状態を維持している。また、第１接点部材２１と共通接点部材２２とが当接するので、ディレイスイッチはＯＦＦからＯＮの状態に変化する。
【００７２】
続いて、利用者がカード３１をプッシュする動作を止め、カード３１に対する押込力を解除すると、付勢部材１５の反発力によって、スライド部材１４及びカード３１は奥壁部１１ｂから離脱する向きに移動させられる。この場合、ピン部材１７の自由端は、動きが規制されることなくカム溝１８内を移動することができるので、スライド部材１４は、第１のロック位置でも第２のロック位置でも停止させられることがない。そして、スライド部材１４及びカード３１は、第１のロック位置及び第２のロック位置を通過し、カード３１の挿入方向と反対の方向に更に移動する。そして、カード３１の係合凸部３２及び係合凹部３３とスライド部材１４の第１係合部１４ｃ及び第２係合部１４ｄとの係合が解除され、スライド部材１４及びカード３１は、図１４に示されるように、挿入の初期の状態に復帰する。なお、第１の終端点から第１のロック位置に復帰するまでの途中において、第１接点部材２１の本体部２１ｂは、それ自体のばね性によって元の姿勢に戻るので、第１接点部材２１と共通接点部材２２とは互いに非当接となる。そのため、ディレイスイッチはＯＮからＯＦＦに変化する。また、第２接点部材２３の本体部２３ｂも、それ自体のばね性によって元の姿勢に戻るので、第２接点部材２３と共通接点部材２２とは互いに非当接となる。そのため、カード検出スイッチもＯＮからＯＦＦに変化する。
【００７３】
次に、カード３１の動きに関連したディレイスイッチの動作タイミングについて説明する。
【００７４】
図１５は本発明の実施の形態におけるカード用コネクタのカードの動きに関連した信号のタイミングを示す図である。
【００７５】
図において、実線の矢印は、カード３１をプッシュしてカード用コネクタ１０に挿入する、すなわち、プッシュインの際、及び、カード３１をプッシュしてカード用コネクタ１０から取出す、すなわち、プッシュアウトの際のカード３１の動きを示している。また、カード移動距離は、本発明の発明者が試作したカード用コネクタを使用した場合の実測値であり、単位は〔ｍｍ〕である。なお、カード３１のコンタクトパッド３４と端子１３との接続、カード検出スイッチ及びディレイスイッチは、図示されるＯＮの位置よりも右側においてＯＮの状態を維持するようになっている。
【００７６】
図から明らかなように、カード３１をカード用コネクタ１０から排出させて取出す場合、ディレイスイッチは、１回目のプッシュ動作において、カード３１が第１のロック位置から第１の終端点まで移動する往きの行程の途中でＯＦＦからＯＮに変化して、プッシュ動作が開始されたことを検出するようになっている。そして、カード３１のコンタクトパッド３４が端子１３と実際に非接触となるのは、２回目のプッシュ動作の後において、第２の終端点からの復りの行程においてスライド部材１４が第２のロック位置を通過して以降である。
【００７７】
そのため、１回目のプッシュ動作による第１のロック位置からの往きの行程においてカード３１がディレイスイッチが導通状態に変化する地点から第１の終端点に到達するまでの時間と、１回目のプッシュ動作の後の復りの行程においてカード３１が第１の終端点から第２のロック位置に到達するまでの時間とに加えて、２回目のプッシュ動作による第２のロック位置からの往きの行程においてカード３１が第２の終端点に到達するまでの時間と、２回目のプッシュ動作の後の復りの行程においてカード３１が第２の終端点から第２のロック位置に到達するまでの時間とを、ディレイタイムに含めることができる。これにより、ディレイスイッチがプッシュ動作が開始されたことを検出してから実際にカード３１のコンタクトパッド３４が端子１３と非接触となるまでのディレイタイムを十分に長くすることができる。
【００７８】
また、１回目のプッシュ動作の後にカード３１が第２のロック位置に到達してから、２回目のプッシュ動作が開始されるまでに遅れがある場合には、この遅れもディレイタイムに含まれるので、ディレイタイムが更に長くなる。
【００７９】
携帯電話機等の電子機器においては、一般的に、ディレイスイッチがプッシュ動作が開始されたことを検出すると、カードへのアクセスをソフトウェアによって停止するようになっている。そのため、プッシュ動作が開始されたことを検出してから、カードへのアクセスを停止するプログラムの動作が完了するまでには、通常、２５０ミリ秒以上の時間がかかる。一方、コイルスプリングによって付勢されたスライド部材がカードを排出する際の移動速度は、通常、０．１〔ｍｍ／ミリ秒〕程度である。そのため、ロック位置から終端点までのカード移動距離が２〔ｍｍ〕程度である小型のカード用コネクタでは、２５０ミリ秒以上のディレイタイムを確保することが困難である。
【００８０】
これに対し、本実施の形態においては、カード３１を排出するためのプッシュ動作が２回行われ、かつ、１回目及び２回目のプッシュ動作によってカード３１が２往復する行程に要する時間がディレイタイムに含まれるので、十分に長いディレイタイムを確保することができる。
【００８１】
なお、本実施の形態においては、図１５に示されるように、第２の終端点の位置が第１の終端点の位置と相違する場合について説明したが、第２の終端点の位置は、スライドカム部１４ｂの上面に形成されたカム溝１８の形状を調整することによって、任意に変更することができる。例えば、第２の終端点を第１の終端点と同一位置にすることもできるし、また、第２の終端点を第１の終端点から更に離間した位置にすることもできる。これらの場合、カード３１の動きは図１１において破線の矢印で示されるようになる。また、同様に、第２のロック位置も、前記カム溝１８の形状を調整することによって、任意に変更することができ、例えば、第１のロック位置と同一にすることもできるし、また、第２のロック位置を第１のロック位置から更に離間した位置とすることもできる。
【００８２】
このように、本実施の形態において、カード用コネクタ１０は、カード３１を排出する際には、プッシュ動作を複数回行うとカード３１が排出されるとともに、初回のプッシュ動作における往きの行程においてカード３１の排出が開始されたことを検出するカード排出動作検出スイッチを有する。そのため、カード３１を排出する際の複数回のプッシュ動作における往復の行程をディレイタイムに含むので、十分に長いディレイタイムを確保することができる。したがって、カード３１をカード用コネクタ１０から排出させて取出す場合、カード用コネクタ１０が取付けられた電子機器は、十分に長いディレイタイムの間に演算手段等とカード３１とを接続する回路を確実に遮断することができる。
【００８３】
また、カード３１を排出する際の各プッシュ動作における往きの行程は、利用者が手指等によって付勢部材１５の反発力に抗して行うカード３１を押込む動作によるものなので、カード３１の移動速度が低くなる。そのため、前記往きの行程を複数回含むディレイタイムを十分に長くすることができる。さらに、カード用コネクタ１０も、構造を簡素化してコストを低くすることができ、小型化することができる。
【００８４】
さらに、複数回のプッシュ動作が行われないとカード３１が排出されないので、利用者が手指等で誤ってカード３１をプッシュしても、カード３１がカード用コネクタ１０から飛出してしまうことがなく、誤操作に起因する飛出しによるカード３１の紛失を防止することができる。
【００８５】
さらに、カード案内機構は、表面にカム溝１８が形成されたスライドカム部１４ｂ、及び、カム溝１８内に一端が係合するピン部材１７を備え、カム溝１８は、ロック位置に対応する部位と終端点に対応する部位とを接続する部分が複数のＶ字を横に接続した形状を備える。この場合、前記カード案内機構は、通常のハート状カム方式の機構におけるカム溝の形状を変更することによって得ることができるので、コストが低く、かつ、簡素な構造を備える。
【００８６】
さらに、カード３１を排出する際のプッシュ動作を２回とした場合、カード案内機構は、カード３１を第１のロック位置で保持してカード３１のコンタクトパッド３４が端子１３と接触している状態を維持し、第１のロック位置で保持されているカード３１を挿入方向に押込むプッシュ動作によってカード３１が挿入方向に移動して第１の終端点まで到達すると、付勢部材１５の付勢力によって、カード３１を第１の終端点から挿入方向と反対の方向に移動させて第２のロック位置で保持し、該第２のロック位置で保持されているカード３１を挿入方向に押込むプッシュ動作によってカード３１が挿入方向に移動して第２の終端点まで到達すると、付勢部材１５の付勢力によって、カード３１を第２の終端点から挿入方向と反対の方向に移動させて排出する。
【００８７】
そのため、１回目のプッシュ動作による第１のロック位置からの往きの行程においてカード３１がディレイスイッチが導通状態に変化する地点から第１の終端点に到達するまでの時間と、１回目のプッシュ動作の後の復りの行程においてカード３１が第１の終端点から第２のロック位置に到達するまでの時間とに加えて、２回目のプッシュ動作による第２のロック位置からの往きの行程においてカード３１が第２の終端点に到達するまでの時間と、２回目のプッシュ動作の後の復りの行程においてカード３１が第２の終端点から第２のロック位置に到達するまでの時間とを、ディレイタイムに含めることができる。これにより、ディレイスイッチがプッシュ動作が開始されたことを検出してから実際にカード３１のコンタクトパッド３４が端子１３と非接触となるまでのディレイタイムを十分に長くすることができる。さらに、１回目のプッシュ動作の後にカード３１が第２のロック位置に到達してから、２回目のプッシュ動作が開始されるまでに遅れがある場合には、この遅れもディレイタイムに含まれるので、ディレイタイムが更に長くなる。
【００８８】
さらに、第２のロック位置は、第１のロック位置よりもカード３１の排出方向に関して前寄りの位置である。
【００８９】
この場合、カード３１の後端のカード用コネクタ１０からの突出量が、第２のロック位置で停止したときのほうが、第１のロック位置で停止したときよりも、大きくなるので、利用者は、目視によっても、手指等の感触によっても、第２のロック位置で停止している状態と第１のロック位置で停止している状態とを識別することができる。そのため、利用者は、カード３１の排出されるタイミングを正確に把握することができ、カード３１を紛失してしまうことがない。
【００９０】
さらに、カード用コネクタ１０は、カード３１のコンタクトパッド３４と端子１３とが接触していることを検出するカード検出スイッチを更に有する。そのため、カード３１のコンタクトパッド３４が端子１３と接触していることを確実に検出することができ、カード用コネクタ１０が取付けられた電子機器は、ディレイタイムの間に演算手段等とカード３１とを接続する回路を安全に導通状態にすることができる。
【００９１】
なお、本発明は前記実施の形態に限定されるものではなく、本発明の趣旨に基づいて種々変形させることが可能であり、それらを本発明の範囲から排除するものではない。
【図面の簡単な説明】
【００９２】
【図１】本発明の実施の形態におけるカード用コネクタのシェルを取除いた状態を示す斜視図である。
【図２】本発明の実施の形態におけるカード用コネクタを示す斜視図である。
【図３】本発明の実施の形態におけるカードの下面を示す図である。
【図４】本発明の実施の形態における第１接点部材を示す斜視図である。
【図５】本発明の実施の形態における共通接点部材を示す斜視図である。
【図６】本発明の実施の形態における第２接点部材を示す斜視図である。
【図７】本発明の実施の形態におけるカム機構の動作を示す図であり、（ａ）はカード挿入の初期の状態、（ｂ）は第１の終端点に到達した状態、（ｃ）は第１のロック位置に到達した状態、（ｄ）は第１の終端点に再び到達した状態、（ｅ）は第２のロック位置に到達した状態、（ｆ）は第２の終端点に到達した状態、（ｇ）はカード挿入の初期の状態に復帰した状態を示している。
【図８】本発明の実施の形態におけるカード用コネクタのカード挿入の初期の状態を示す図である。
【図９】本発明の実施の形態におけるカード用コネクタの第１のカードフルストローク状態を示す図である。
【図１０】本発明の実施の形態におけるカード用コネクタの第１のカードロック状態を示す図である。
【図１１】本発明の実施の形態におけるカード用コネクタの第２のカードフルストローク状態を示す図である。
【図１２】本発明の実施の形態におけるカード用コネクタの第２のカードロック状態を示す図である。
【図１３】本発明の実施の形態におけるカード用コネクタの第３のカードフルストローク状態を示す図である。
【図１４】本発明の実施の形態におけるカード用コネクタのカードの挿入の初期の状態に復帰した状態を示す図である。
【図１５】本発明の実施の形態におけるカード用コネクタのカードの動きに関連した信号のタイミングを示す図である。
【図１６】従来のカード用コネクタのハートカム機構を示す図である。
【符号の説明】
【００９３】
１０    カード用コネクタ
１１    ハウジング
１１ａ    底壁部
１１ｂ    奥壁部
１１ｃ    第１側壁部
１１ｄ    第２側壁部
１１ｅ    端子装填溝
１１ｆ    係止部
１１ｇ    ストッパ部
１２    シェル
１２ａ    板ばね
１３    端子
１３ａ    ソルダーテール部
１３ｂ    先端部
１４    スライド部材
１４ａ    カード保持部
１４ｂ    スライドカム部
１４ｃ    第１係合部
１４ｄ    第２係合部
１４ｅ    付勢力受部
１４ｆ    係止突起
１５    付勢部材
１７、３１７    ピン部材
１８、３１８    カム溝
１８ａ    第１ロック凹部
１８ｂ    第２ロック凹部
１８ｃ    第１終端凹部
１８ｄ    第２終端凹部
１８ｅ    第３終端凹部
２１    第１接点部材
２１ａ、２２ａ、２３ａ    取付部
２１ｂ、２２ｂ、２３ｂ    本体部
２１ｃ    第１当接部
２１ｄ、２２ｇ、２３ｆ    ソルダーテール部
２２    共通接点部材
２２ｃ    第１枝部
２２ｄ    第２枝部
２２ｅ    共通接点第１当接部
２２ｆ    共通接点第２当接部
２３    第２接点部材
２３ｃ    カード当接部
２３ｄ    第２当接部
２３ｅ    上方突出部
３１    カード
３２    係合凸部
３３    係合凹部
３４    コンタクトパッド
３０４    支持部
３０５    自由端
３０７    第１ガイド部
３０８    第２ガイド部
３１４    ハートカム部材
３１５    コイルスプリング
【図１】
0004711891.tif 000002
【図２】
0004711891.tif 000003
【図３】
0004711891.tif 000004
【図４】
0004711891.tif 000005
【図５】
0004711891.tif 000006
【図６】
0004711891.tif 000007
【図７】
0004711891.tif 000008
【図８】
0004711891.tif 000009
【図９】
0004711891.tif 000010
【図１０】
0004711891.tif 000011
【図１１】
0004711891.tif 000012
【図１２】
0004711891.tif 000013
【図１３】
0004711891.tif 000014
【図１４】
0004711891.tif 000015
【図１５】
0004711891.tif 000016
【図１６】
0004711891.tif 000017